(57)【要約】【課題】比較的大きな収容スペースを備えたシャーシを有するサーバーを提供する。【解決手段】サーバーは、ラックと、少なくとも１つのシャーシと、レールデバイスとを備える。レールデバイスは、第１レールと、ブラケットとを備える。第１レールは、シャーシ内に取り付けられる。支持部材は、第１端と、第２端とを有する。第１端が前記第２レールに接続され、第２端が第１レールにスライド可能に配置されるため、シャーシは、ラックに相対して第１位置と第２位置の間で移動する。シャーシが第２位置にある時、第１端が第２レールにもたれかかり、第２端が第１レールにもたれかかるため、支持部材は、ラックの上でシャーシを支持する。【選択図】図１
0003163549.tif 000002
【実用新案登録請求の範囲】
【請求項１】
ラックと、
少なくとも１つのシャーシと、
レールデバイスと
を含むサーバーであって、前記レールデバイスが、
前記シャーシ内に取り付けられた第１レールと、
ブラケットと
を含み、前記ブラケットが、
前記ラックの上に取り付けられた第２レールと、
第１端および第２端を有し、前記第１端が前記第２レールに接続され、前記第２端が前記第１レールにスライド可能に配置されるため、前記シャーシが前記ラックに相対して第１位置と第２位置の間で移動し、前記シャーシが前記第２位置にある時、前記第１端が前記第２レールにもたれかかり、前記第２端が前記第１レールにもたれかかるため、前記ラックの上で前記シャーシを支持する支持部材と
を含むサーバー。
【請求項２】
前記ブラケットが、
前記第２レールにスライド可能に接続され、前記支持部材の前記第１端が取り付けられたスライドブロックをさらに含む請求項１に記載のサーバー。
【請求項３】
前記レールデバイスが、
前記シャーシと前記支持部材の間に配置された第１ラッチをさらに含み、前記シャーシが前記第１位置から離れた時、前記第１ラッチが前記シャーシおよび前記支持部材をロックするため、前記シャーシが前記第２レールに沿って移動するよう前記スライドブロックを駆動する請求項２に記載のサーバー。
【請求項４】
前記第２レールが第１ストッパーを有し、前記シャーシが前記第２位置へ移動した時、前記第１ストッパーが前記スライドブロックの移動をブロックする請求項３に記載のサーバー。
【請求項５】
前記レールデバイスが、
前記第２レールにスライド可能に配置され、且つ前記支持部材にスライド可能に接続された駆動部材と、
前記第２レールに配置され、且つ前記スライドブロックおよび前記駆動部材の移動経路上に設けられて、第２ストッパーおよび押圧部を有し、前記シャーシが前記第２位置から前記第１位置へ移動した時、前記第２ストッパーが前記スライドブロックの移動をブロックし、前記シャーシが前記駆動部材を押して前記押圧部を押圧するため、前記スライドブロックをブロックするのを停止するよう前記第２ストッパーを駆動する第２ラッチと
をさらに含む請求項３または４に記載のサーバー。
【請求項６】
前記ブラケットが、
前記支持部材に接続され、前記シャーシが前記第１位置から離れた時、前記第１ラッチが駆動部材をロックして、前記第２レールに沿って移動するよう前記支持部材および前記スライドブロックを駆動する駆動部材をさらに含む請求項３または４に記載のサーバー。
【請求項７】
前記第２レールがアクチュエータを有し、前記シャーシが前記第１位置と前記第２位置の間にある時、前記アクチュエータが前記駆動部材を解放するよう前記第１ラッチを駆動する請求項６に記載のサーバー。
【請求項８】
前記第２レールが、第１ストッパーおよび第２ストッパーをさらに有し、前記アクチュエータが前記駆動部材を解放するよう前記第１ラッチを駆動した時、前記第１ストッパーが前記駆動部材の移動をブロックし、前記第２ストッパーが前記スライドブロックの移動をブロックして、前記シャーシが前記支持部材に相対して前記第２位置へ移動する請求項７に記載のサーバー。
【請求項９】
前記シャーシが前記第２位置にある時、前記駆動部材が前記第２レールにもたれかかり、前記支持部材を支持する請求項８に記載のサーバー。
【請求項１０】
前記レールデバイスが、前記シャーシの上に配置され、前記シャーシが前記第２位置へ移動した時、前記支持部材をロックして、前記ブラケットの上に前記シャーシを固定する第２ラッチをさらに備えた請求項３から９の何れか１項に記載のサーバー。
【考案の詳細な説明】
【技術分野】
【０００１】
この考案は、サーバーに関する。
【背景技術】
【０００２】
現在、工業用サーバーは、ユーザーが周辺機器や機械の操作をコントロールできるようにしている。サーバーに利用されるシャーシ（chassis）には２つの側壁があり、シャーシの底部はこの２つの側壁の間で接続され、電源、各種回路板およびディスクアレイ（disk array）を含むハードウェア機器を収容することのできる収容スペースが２つの側壁の間に形成される。電源、各種回路板およびディスクアレイを含むハードウェア機器をシャーシ内に取り付けた後、ユーザーが周辺機器の操作をコントロールできるように、シャーシをキャビネットの中に設置しなければならない。
【０００３】
上記のシャーシは、キャビネット内の固定式Ｌ型ラックの上に配置される。シャーシ内のハードウェア機器が故障した時、あるいは拡張する必要がある時には、Ｌ型ラックからシャーシを取り外して、シャーシ内のハードウェア機器を修理または拡張しなければならない。修理または拡張が完了した後、シャーシをキャビネット内のＬ型ラックに戻さなければならないため、ハードウェア機器のメンテナンスや拡張の際に不便が生じる。
【０００４】
そのため、ある業者は、Ｌ型ラックを改良して、伸縮可能なレールを作成した。シャーシ内のハードウェア機器が故障した時、あるいは拡張する必要がある時に、シャーシをキャビネットから直接取り出し、シャーシ内のハードウェア機器を修理または拡張することができる。シャーシ内のハードウェア機器の修理または拡張が完了した後、シャーシをキャビネットに戻して、ハードウェア機器のメンテナンスまたは拡張が完了する。
【考案の概要】
【考案が解決しようとする課題】
【０００５】
上述したレールは、シャーシ内のハードウェア機器のメンテナンスまたは拡張を容易にするが、レールがキャビネットの内部スペースを占領して、キャビネットの内部スペースを減少させるため、シャーシ内のハードウェア機器の取り付けがスムーズにいかなかったり、あるいは、シャーシ内に取り付けることのできるハードウェア機器が少ないために、サーバーの拡張性に不利に影響したりする。
【０００６】
そこで、この考案の目的は、比較的大きな収容スペースを備えた移動式シャーシを有するサーバーを提供することにある。
【課題を解決するための手段】
【０００７】
この考案のある実施形態において、ラックと、少なくとも１つのシャーシと、レールデバイスとを備えたサーバーを提供する。レールデバイスは、第１レールと、ブラケットとを備える。第１レールは、シャーシ内に取り付けられる。ブラケットは、第２レールと、支持部材とを備え、第２レールは、ラックの上に取り付けられる。支持部材は、第１端と、第２端とを備える。第１端が第２レールに接続され、第２端が第１レールにスライド可能に配置されるため、シャーシは、ラックに相対して第１位置と第２位置の間で移動する。シャーシが第２位置にある時、支持部材の第１端が第２レールにもたれかかり、支持部材の第２端が第１レールにもたれかかるため、支持部材は、ラックの上でシャーシを支持する。
【０００８】
この考案のある実施形態中、ブラケットは、さらに、第２レールにスライド可能に接続されたスライドブロック（slide block）を備え、スライドブラックの上に支持部材の第１端が取り付けられる。
【０００９】
この考案のある実施形態中、レールデバイスは、さらに、シャーシと支持部材の間に配置された第１ラッチ（latch）を備える。シャーシが第１位置から離れた時、第１ラッチがシャーシと支持部材をロックするため、シャーシは、第２レールに沿ってスライドブロックを移動させる。
【００１０】
この考案のある実施形態中、第２レールは、第１ストッパーを有する。シャーシが第２位置へ移動した時、第１ストッパーは、スライドブロックの移動をブロックする。
【００１１】
この考案のある実施形態中、レールデバイスは、さらに、駆動部材と、第２ラッチとを備える。駆動部材は、第２レールにスライド可能に配置され、且つ支持部材にスライド可能に接続される。第２ラッチは、第２レールに配置され、且つスライドブロックと駆動部材の移動経路上に設けられる。第２ラッチは、第２ストッパーと、押圧部とを有する。シャーシが第２位置から第１位置へ移動した時、第２ストッパーがスライドブロックの移動をブロックし、シャーシが駆動部材を押して押圧部を押すため、第２ストッパーは、スライドブロックをブロックするのを停止するよう駆動される。
【００１２】
この考案のある実施形態中、ブラケットは、さらに、支持部材に接続された駆動部材を備える。シャーシが第１位置から離れた時、第１ラッチは、駆動部材をロックし、駆動部材は、第２レールに沿って移動するよう支持部材およびスライドブロックを駆動する。
【００１３】
この考案のある実施形態中、第２レールは、アクチュエータ（actuator）を有する。シャーシが第１位置と第２位置の間にある時、アクチュエータは、駆動部材を解放するよう第１ラッチを駆動する。
【００１４】
この考案のある実施形態中、第２レールは、さらに、第１ストッパーと、第２ストッパーとを有する。アクチュエータが駆動部材を解放するよう第１ラッチを駆動した時、第２ストッパーは、スライドブロックの移動をブロックし、シャーシは、支持部材に相対して第２位置へ移動する。
【００１５】
この考案のある実施形態中、シャーシが第２位置にある時、駆動部材は、第２レールにもたれかかり、支持部材を支持する。
【００１６】
この考案のある実施形態中、レールドライバは、さらに、シャーシの上に配置された第２ラッチを備える。シャーシが第２位置へ移動した時、第２ラッチは、支持部材をロックして、ブラケットの上にシャーシを固定する。
【考案の効果】
【００１７】
以上のように、この考案は、シャーシの内側にレールを取り付けることによって、シャーシの収容スペースを効果的に増やす。さらに、シャーシ、ブラケットおよびレールの配置によって、シャーシをラックから引き出したり、中に押入れたりすることができる。また、シャーシをラックから引き出した時、ブラケットの支持部材は、ラックの上でシャーシを支持することができる。そのため、この考案のサーバーは、特性として移動性と拡張性を兼ね備えている。
【００１８】
この考案の上記特徴および利点をより分かり易くするため、図面と併せた幾つかの実施形態を以下に説明する。
【図面の簡単な説明】
【００１９】
【図１】この考案の実施形態に係るサーバーを示した概略図の一つの例である。
【図２】この考案の実施形態に係るサーバーを示した概略図の一つの例である。
【図３】図１に示したサーバーの部分的構成要素を示した概略図である。
【図４】図１のシャーシが第１位置から離れる時の動作を順に示した概略図である。
【図５】図１のシャーシが第１位置から離れる時の動作を順に示した概略図である。
【図６】図３に示したブラケットの概略図である。
【図７】図２に示したサーバーの部分的構成要素を別の角度で示した概略図である。
【図８】この考案の実施形態に係るサーバーを示した概略図である。
【図９】図８に示したサーバーを別の角度で示した概略図である。
【図１０】図８に示したサーバーの部分的構成要素を示した概略図である。
【図１１】図８に示したサーバーの部分的拡大図である。
【図１２】図９に示したサーバーの部分的拡大図である。
【図１３】図９に示したサーバーの部分的拡大図である。
【考案を実施するための形態】
【００２０】
この考案は、レールデバイスの第１レールをシャーシの内側に取り付けることによって、シャーシの収容スペースを効果的に増やす。さらに、レール、ブラケットおよびシャーシの配置によって、シャーシをラックから引き出した後、サーバーのシャーシをブラケットで支持することができる。この考案を詳しく説明するため、以下に２つの実施形態を提供するが、この考案のサーバーおよびレールデバイスは、これら２つの実施形態のみに限定されるものではない。
【００２１】
［第１実施形態］
図１および２は、この考案の実施形態に係るサーバーを示した概略図である。図１は、サーバーのシャーシが第１位置にある時を示し、図２は、サーバーのシャーシが第２位置にある時を示す。図１および図２を同時に参照すると、サーバー１００は、ラック１１０と、少なくとも１つのシャーシ１２０と、レールデバイス１３０とを備える。レールデバイス１３０は、ラック１１０およびシャーシ１２０の上に配置され、ラック１１０に相対して図１の第１位置Ａ１と図２の第２位置Ａ２の間でシャーシ１２０を移動させる。
【００２２】
サーバーにおいて、レールデバイス１３０は、シャーシ１２０のそれぞれの側に一対ずつ配置されるが、そのうち一方の側のレールデバイス１３０についてのみ説明する。図３は、図１に示したサーバーの部分的構成要素を示した概略図である。ここで、シャーシ１２０を省略して、レールデバイス１３０と相関する構成要素を明確に示す。図１から図３を参照すると、本実施形態において、レールデバイス１３０は、第１レール１３３と、ブラケット１３５とを備え、第１レール１３３は、シャーシ１２０内に取り付けられる。ブラケット１３５は、第２レール１３１と、支持部材１３５ｂとを備え、第２レール１３１は、ラック１１０の上に取り付けられる。
【００２３】
支持部材１３５ｂは、第１端Ｅ１と、第２端Ｅ２とを有する。第１端Ｅ１は、第２レール１３１に接続され、第２端Ｅ２は、第１レール１３３にスライド可能に配置される。シャーシ１２０が第２位置Ａ２にある時、支持部材１３５ｂの第１端Ｅ１が第２レール１３１にもたれかかり、第２端Ｅ２が第１レール１３３にもたれかかるため、ブラケット１３５は、ラック１１０の上でシャーシ１２０を支持する。本実施形態において、第１レール１３３およびシャーシ１２０は、一体形成される。つまり、シャーシ１２０を製造している間に、プレートを曲げる、あるいは、リベット留めをして、シャーシ１２０内に第１レール１３３を形成することによって、製造を簡易化し、コストを下げることができる。
【００２４】
図４および図５は、図１のシャーシが第１位置から離れる時の動作を順に示した概略図である。図６は、図３に示したブラケットの概略図である。図３から図６に示すように、本実施形態において、ブラケット１３５は、さらに、スライドブロック１３５ａを備え、スライドブロック１３５ａの上に支持部材１３５ｂの第１端Ｅ１が取り付けられる。注意すべきこととして、本実施形態のレールデバイス１３０は、さらに、シャーシ１２０と支持部材１３５ｂの間に配置された第１ラッチ１３９を備える。シャーシ１２０が第１位置Ａ１から離れた時（図１に示す）、第１ラッチ１３９は、シャーシ１２０および支持部材１３５ｂをロックして、シャーシ１２０は、第２レール１３１に沿って移動するようスライドブロック１３５ａを駆動する。さらに詳しく説明すると、駆動部材１３７は、支持部材１３５ｂに干渉する。そのため、シャーシ１２０上の第１ラッチ１３９が駆動部材１３７をロックして移動させた時、駆動部材１３７が支持部材１３５ｂを摩擦で駆動するため、それに対応して、スライドブロック１３５ａも同様に移動する。ここで、第１ラッチ１３９は、金属プレートで作られ、シャーシ１２０内の第１レール１３３でロックされるが、この考案はこれに限定されない。
【００２５】
図２から図５を参照すると、第２レール１３１は、第１ストッパー１３１ａと、第２ストッパー１３１ｂと、アクチュエータ１３１ｃとを有する。シャーシ１２０が図１の第１位置Ａ１から離れた時、第２レール１３１のアクチュエータ１３１ｃは、第１ラッチ１３９の突出部１３９ａを押し、第１ラッチ１３９は、その金属弾力性によって駆動部材１３７を解放する。言及すべきこととして、アクチュエータ１３１ｃおよび第１ラッチ１３９の外部構成は、本実施形態に限定されない。つまり、シャーシ１２０が第１位置Ａ１から離れた後に、第１ラッチ１３９が駆動部材１３７のラッチを外すことができる場合は全て、本実施形態に適用可能である。また、アクチュエータ１３１ｃが第１ラッチ１３９と相互作用する位置も、本実施形態に限定されない。実際の需要に基づいて、シャーシ１２０の第１位置Ａ１と第２位置Ａ２の間の適切な位置を決定し、アクチュエータ１３１ｃと第１ラッチ１３９を相互作用させることができる。
【００２６】
第２レール１３１のアクチュエータ１３１ｃが駆動部材１３７を解放するよう第１ラッチ１３９を駆動すると、第１ストッパー１３１ａおよび第２ストッパー１３１ｂがそれぞれ駆動部材１３７およびスライドブロック１３５ａをブロックするため、駆動部材１３７およびスライドブロック１３５ａは、第２レール１３１に留まる。この時、シャーシ１２０は、第１レール１３３を介して、支持部材１３５ｂに相対して移動し、それから、第２位置Ａ２に到達する。
【００２７】
一方、シャーシ１２０が第２位置Ａ２に到達して、ラック１１０から完全に引き出された時、駆動部材１３７は、第２レール１３１にもたれかかり、支持部材１３５ｂを支持する。それによって、ブラケット１３５が支持部材１３５ｂの第１端Ｅ１で第２レール１３１にもたれかかり、第２端Ｅ２で第１レール１３３にもたれかかってシャーシ１２０を支持するだけでなく、シャーシ１２０がラック１１０から引き出された後も水平状態を維持することができる。
【００２８】
図７は、図２に示したサーバーの部分的構成要素を別の角度で示した概略図である。図７において、第２レールおよびシャーシを省略して、ブラケットおよび第２レールを明確に示す。図２および図７を参照すると、レールデバイス１３０は、さらに、一方の側がシャーシ１２０の上に取り付けられた第２ラッチ１３２を備える。第２ラッチ１３２は、例えば、押圧部１３２ｂおよび留め部１３２ａを有する金属留め具（metal fastener）である。シャーシ１２０が第１位置Ａ１から第２位置Ａ２へ移動した時、留め部１３２ａは、支持部材１３５ｂ上の開口１３５ｃに留められる。そのため、シャーシ１２０が支持部材１３５ｂに固定されて、シャーシ１２０がレールデバイス１３０から落ちるのを防ぐことができる。シャーシ１２０をレールデバイス１３０から取り外したい時は、第２ラッチ１３２の押圧部１３２ｂを押圧して、開口１３５ｃから離すことによって、シャーシ１２０をレールデバイス１３０から取り外すことができる。
【００２９】
［第２実施形態］
図８は、この考案の実施形態に係るサーバーを示した概略図である。図９は、図８に示したサーバーを別の角度で示した概略図である。図８および図９は、それぞれサーバーのシャーシが異なる位置にある時の状態を図示したものである。図８および図９を参照すると、本実施形態のサーバー２００は、ラック２１０と、シャーシ２２０と、レールデバイス２３０とを備える。本発明をより分かりやすく説明するため、１つのシャーシ２２０のみを例として挙げるが、本発明は、サーバー２００内のシャーシ２２０の数を限定しない。レールデバイス２３０は、ラック２１０およびシャーシ２２０の上に配置され、ラック２１０に相対して、図８の第１位置Ｂ１と図９の第２位置Ｂ２の間でシャーシ２２０を移動させる。
【００３０】
レールデバイス２３０は、ラック２１０およびシャーシ２２０の上に一対ずつ配置されるが、ここでは、シャーシ２２０の１方の側にあるレールデバイス２３０のみについて説明し、シャーシ２２０の他方の側にあるレールデバイス２３０については、説明を省略する。本実施形態において、レールデバイス２３０は、第１レール２３４と、ブラケット２３６とを備える。第１レール２３４は、シャーシ２２０内に取り付けられる。ブラケット２３６は、第２レール２３２と、支持部材２３６ｂとを備え、第２レール２３２は、ラック２１０の上に取り付けられる。支持部材２３６ｂは、第１端Ｆ１と、第２端Ｆ２とを有する。第１端Ｆ１が第２レール２３２に接続され、第２端Ｆ２が第１レール２３４にスライド可能に配置されるため、シャーシ２２０は、ラック２１０に相対して第１位置Ｂ１と第２位置Ｂ２の間で移動する。シャーシ２２０が第２位置Ｂ２にある時、支持部材２３６ｂの第１端Ｆ１が第２レール２３２にもたれかかり、第２端Ｆ２が第１レール２３４にもたれかかるため、支持部材２３６ｂは、ラック２１０の上でシャーシ２２０を支持する。
【００３１】
図１０は、図８に示したサーバーの部分的構成要素を示した概略図である。図８および図１０を参照すると、本実施形態において、ブラケット２３６は、さらに、第２レール２３２にスライド可能に接続されたスライドブロック２３６ａを備える。支持部材２３６ｂの第１端Ｆ１は、スライドブロック２３６ａの上に取り付けられる。また、レールデバイス２３０は、さらに、シャーシ２２０と支持部材２３６ｂの間に配置された第１ラッチ２３８を備える。シャーシ２２０が第１位置Ｂ１から離れた時、第１ラッチ２３８がシャーシ２２０および支持部材２３６ｂをロックするため、シャーシ２２０は、第２レール２３２に沿って移動するようスライドブロック２３６ａを駆動する。
【００３２】
図１１は、図８に示したサーバーの部分的拡大図である。シャーシ２２０と第１ラッチ２３８の間の結合関係を明確に示すため、図１１では第２レール２３２を表示しない。特に、図１０および図１１に示すように、本実施形態において、第１ラッチ２３８は、例えば、一方の側が支持部材２３６ｂの上に取り付けられ、他方の側が支持部材２３６ｂからシャーシ２２０に延びて、シャーシ２２０によって圧縮された弾性シートである。注意すべきこととして、第１ラッチ２３８は、留め部２３８ａを有し、シャーシ２２０は、開口２２０ａを有する。シャーシ２２０が図８に示した第１位置Ｂ１からある距離を置いて離れた時、開口２２０ａは、留め部２３８ａに対応する。そのため、第１ラッチ２３８の留め部２３８ａが弾力によってシャーシ２２０の開口２２０ａに固定され、シャーシ２２０および支持部材２３６ｂが一緒にロックされる。さらに、ユーザーがシャーシ２２０を引き出した時、ブラケット２３６も移動するよう駆動される。
【００３３】
一方、シャーシ２２０がラック２１０（図８に示す）から完全に引き出されて、図９に示す第２位置Ｂ２に到達した時、シャーシ２２０が支持部材２３６ｂおよびスライドブロック２３６ａを介してそれぞれ第１レール２３４および第２レール２３２にもたれかかるため、シャーシ２２０は、レールデバイス２３０の上に留まる。シャーシ２２０をレールデバイス２３０から取り外す時は、第１ラッチ２３８の留め部２３８ａを押圧して、シャーシ２２０の開口２２０ａから取り外す。それによって、第１ラッチ２３８は、シャーシ２２０のロックを外す。
【００３４】
さらに、図９および図１０において、レールデバイス２３０は、さらに、第２レール２３２にスライド可能に配置され、且つ支持部材２３６ｂにスライド可能に接続された駆動部材２３１を備える。さらに、図１２を参照すると、図１２は、図９に示したサーバーの部分的拡大図である。第２レール２３２と駆動部材２３１の間の相関関係を明確に示すため、図１２ではラック２１０を表示しない。図９、図１０および図１２において、第２レール２３２は、第１ストッパー２３２ａを有する。シャーシ２２０が図８に示した第１位置Ｂ１から図９に示した第２位置Ｂ２へ移動した時、スライドブロック２３６ａおよび駆動部材２３１が第１ラッチ２３８によって駆動されるため、シャーシ２２０は、第２レール２３２に沿ってスライドブロック２３６ａおよび駆動部材２３１を移動させることができる。シャーシ２２０が第２位置Ｂ２へ移動した時、第２レール２３２の第１ストッパー２３２ａは、駆動部材２３１に干渉して、スライドブロック２３６ａおよび駆動部材２３１の移動をブロックする。それによって、シャーシ２２０は、移動を停止して、図９に示すように、ラック２１０から完全に引き出される。
【００３５】
図１３は、図９に示したサーバーの部分的拡大図である。図９および図１３を参照すると、本実施形態のレールデバイス２３０は、さらに、第２ラッチ２３３を備える。第２ラッチ２３３は、例えば、弾性シートであり、スライドブロック２３６ａおよび駆動部材２３１の移動経路上に設けられる。第２ラッチ２３３の一方の側は、第２レール２３２の上に取り付けられ、第２ラッチ２３３の他方の側は、シャーシ２２０に向かって延伸する。第２ラッチ２３３は、第２ストッパー２３３ａと、押圧部２３３ｂとを有する。ここで、第２ストッパー２３３ａは、スライド側２３３ｃと、ブロック側２３３ｄとを有する。
【００３６】
さらに詳しく説明すると、第２ストッパー２３３ａは、スライドブロック２３６ａの移動経路上に設けられ、スライド側２３３ｃは、スライドブロック２３６ａの第１スライド方向Ｌ１と同じ方向にある。そのため、スライドブロック２３６ａが第１スライド方向Ｌ１で第２レール２３２において移動した時、スライドブロック２３６ａは、スライド側２３３ｃに沿って第２ラッチ２３３を圧縮し、第２ラッチ２３３を通過する。
【００３７】
反対に、第２ラッチ２３３のブロック側２３３ｄは、スライドブロック２３６ａの第２スライド方向Ｌ２に垂直な方向にある。そのため、スライドブロック２３６ａが第２スライド方向Ｌ２で移動した時、スライドブロック２３６ａは、ブロック側２３３ｄによってブロックされる。シャーシ２２０が駆動部材２３１を押して第２スライド方向Ｌ２で移動し、押圧部２３３ｂを押圧して第２ラッチ２３３を圧縮すると、ブロック側２３３ｄは、スライドブロック２３６ａから離れることができる。このようにして、スライドブロック２３６ａは、第２スライド方向Ｌ２に沿って再び移動を続けることができる。さらに、言及すべきこととして、駆動部材２３１は、第２ストッパー２３３ａに対応する溝２３１ａを有する。そのため、駆動部材２３１が第２スライド方向Ｌ２に沿って移動した時、駆動部材２３１は、第２ストッパー２３３ａによってブロックされない。
【００３８】
以上のように、上記実施形態において、この考案は、レールデバイスをそれぞれ内側と外側に取り付けることによって、シャーシの収容スペースを効果的に増やすことができる。また、レールデバイス、ブラケットおよびシャーシの配置によって、シャーシは、ラックに相対して移動することができる。さらに、ブラケットとレールの間の支持部材を介して、シャーシは、ラックから引き出された後も、水平状態を維持することができる。このように、この考案のサーバーは、その特性として、移動性および拡張性を兼ね備えている。
【００３９】
以上のごとく、この考案を実施形態により開示したが、もとより、この考案を限定するためのものではなく、当業者であれば容易に理解できるように、この考案の技術思想の範囲内において、適当な変更ならびに修正が当然なされうるものであるから、その実用新案権保護の範囲は、実用新案登録請求の範囲および、それと均等な領域を基準として定められなければならない。
【符号の説明】
【００４０】
１００、２００  サーバー
１１０、２１０  ラック
１２０、２２０  シャーシ
１３０、２３０  レールデバイス
１３３、２３４  第１レール
１３１ａ、２３２ａ  第１ストッパー
１３１ｂ、２３３ａ  第２ストッパー
１３１ｃ  アクチュエータ
１３２、２３３  第２ラッチ
１３２ａ  ２３８ａ  留め部
１３２ｂ、２３３ｂ  押圧部
１３１、２３２  第２レール
１３５、２３６  ブラケット
１３５ａ、２３６ａ  スライドブロック
１３５ｂ、２３６ｂ  支持部材
１３５ｃ、２２０ａ  開口
１３７、２３１  駆動部材
１３９、２３８  第１ラッチ
１３９ａ  突出部
２３１ａ  溝
２３３ｃ  スライド側
２３３ｄ  ブロック側
Ａ１、Ｂ１  第１位置
Ａ２、Ｂ２  第２位置
Ｅ１、Ｆ１  第一端
Ｅ２、Ｆ２  第二端
Ｌ１  第１スライド方向
Ｌ２  第２スライド方向
【図１】
0003163549.tif 000003
【図２】
0003163549.tif 000004
【図３】
0003163549.tif 000005
【図４】
0003163549.tif 000006
【図５】
0003163549.tif 000007
【図６】
0003163549.tif 000008
【図７】
0003163549.tif 000009
【図８】
0003163549.tif 000010
【図９】
0003163549.tif 000011
【図１０】
0003163549.tif 000012
【図１１】
0003163549.tif 000013
【図１２】
0003163549.tif 000014
【図１３】
0003163549.tif 000015